(57)【要約】【課題】落雷等の不慮の故障時にもデータを残存させることができる電力量測定システムおよび電力量測定装置を提供する。【解決手段】温度・湿度等の環境データをもとに電力量測定装置の破損の可能性を予測し、破損の可能性が高いと判断された場合は、印字等の手段を有する出力装置にて電力量データを事前に出力しておくようにした。【選択図】  図１
2009002905.tif 000002
【特許請求の範囲】
【請求項１】
電力需要家周辺の環境状態を測定し環境データを作成する環境測定手段と、
前記環境測定手段により作成された環境データを送信する送信手段と
を具備した環境測定装置と、
被測定系の電力量を測定し当該電力量に関する電力量データを作成する電力量測定手段と、
前記環境測定装置の送信手段により送信された環境データに基づき破損可能性を予測する破損予測手段と、
前記破損予測手段にて予測された破損可能性に応じ前記電力量測定手段にて作成された電力量データを送信する伝送手段と
を具備した電力量測定装置と、
前記電力量測定装置から送信された電力量データを出力する出力手段
を具備した出力装置と
を有することを特徴とする電力量測定システム。
【請求項２】
電力需要家周辺の環境状態を測定し環境データを作成する環境測定手段と、
前記環境測定手段により作成された環境データを送信する送信手段と
を具備した環境測定装置と、
被測定系の電力量を測定し当該電力量に関する電力量データを作成する電力量測定手段と、
前記環境測定装置の送信手段により送信された環境データに基づき破損可能性を予測する破損予測手段と、
前記破損予測手段にて予測された破損可能性に応じ前記電力量測定手段にて作成された電力量データを出力する出力手段と
を具備した出力装置と
を有することを特徴とする電力量測定システム。
【請求項３】
被測定系の電力量を測定し当該電力量に関する電力量データを作成する電力量測定手段と、
前記電力量測定手段にて作成された電力量データを一定時間周期にて送信する伝送手段とを具備した電力量測定装置と、
電力需要家周辺の環境状態を測定し環境データを作成する環境測定手段と、
前記環境測定手段により作成された環境データに基づき破損可能性を予測する破損予測手段と、
前記破損予測手段にて予測された破損可能性に応じ前記電力量測定装置から送信された電力量データを出力するように指示する指示手段と、
前記指示手段の指示により前記電力量測定装置から送信された電力量データを出力する出力手段
を具備した出力装置と
を有することを特徴とする電力量測定システム。
【請求項４】
前記環境測定手段はインターネットの気象予報サイトを利用したものであることを特徴とする請求項１乃至２のいずれか１項記載の電力量測定システム。
【請求項５】
前記環境測定手段は温度と湿度のうち少なくとも１つを測定するものであることを特徴とする請求項１乃至３のいずれか１項記載の電力量測定システム。
【請求項６】
前記出力手段はプリンタであることを特徴とする請求項１乃至３のいずれか１項記載の電力量測定システム。
【請求項７】
前記出力手段はメモリカードであることを特徴とする請求項１乃至３のいずれか１項記載の電力量測定システム。
【請求項８】
前記出力手段は
消去可能な画像形成材料を印刷する印字部と、
前記印字部にて印刷された画像形成材料を消去する消去部と、
前記印字部に繰り返し印刷され、前記消去部により繰り返し画像形成材料を消去される印刷用紙と
を具備したことを特徴とする請求項１乃至３のいずれか１項記載の電力量測定システム。
【請求項９】
前記電力量測定手段により作成された電力量データは、時間帯ごとの電力量に関するデータを含むことを特徴とする請求項１乃至３のいずれか１項記載の電力量測定システム。
【請求項１０】
電力需要家周辺の環境状態を測定し環境データを作成する環境測定手段と、
被測定系の電力量を測定し当該電力量に関する電力量データを作成する電力量測定手段と、
前記環境測定手段により作成された環境データに基づき破損可能性を予測する破損予測手段と、
前記破損予測手段にて予測された破損可能性に応じ前記電力量測定手段にて作成された電力量データを出力する出力手段と
を具備したことを特徴とする電力量測定装置。
【請求項１１】
前記環境測定手段は温度と湿度のうち少なくとも１つを測定するものであることを特徴とする請求項９記載の電力量測定装置。
【請求項１２】
前記出力手段はプリンタであることを特徴とする請求項９記載の電力量測定装置。
【請求項１３】
前記出力手段はメモリカードであることを特徴とする請求項９記載の電力量測定装置。
【請求項１４】
前記出力手段は
消去可能な画像形成材料を印刷する印字部と、
前記印字部にて印刷された画像形成材料を消去する消去部と、
前記印字部に繰り返し印刷され、前記消去部により繰り返し画像形成材料を消去される印刷用紙と
を具備したことを特徴とする請求項９記載の電力量測定装置。
【請求項１５】
前記電力量測定手段により作成された電力量データは、時間帯ごとの電力量に関するデータを含むことを特徴とする請求項９記載の電力量測定装置。
【発明の詳細な説明】
【技術分野】
【０００１】
本発明は被測定系の使用電力量を測定する電力量測定システムおよび電力量測定装置に関する。
【背景技術】
【０００２】
従来より、一般家庭や工場、事業所の使用電力量を測定する電力量測定システムが普及し
てきている。当該電力量測定システムは被測定系の使用電力量を測定する使用量検出手段と、使用量検出手段で検出した使用量をデータに編集する制御部と、制御部にて編集され
たデータを表示する表示部とを具備している。（例えば特許文献１）
【特許文献１】特開２００５−１６４５６１公報（第８頁、図２）
【発明の開示】
【発明が解決しようとする課題】
【０００３】
電力量を測定する測定器である電力量計の表示部として、古くは数字を印刷した円筒状の文字盤を有する表示方式、いわゆるレジスタ方式が採用されていた。しかし近年、電力料金メニューが多様化し、電力量計の電力量データとしての表示項目は時間帯電力量や無効電力量、季節別電力量等複雑化してきた。このためレジスタ方式でこれらの表示項目をすべて表示することは不便であり、多項目にわたり表示でき、表示項目を切り替えることができる液晶表示装置が表示装置として多用されるようになった。しかし、当該液晶表示装置は動作に電源を必要とし、電源が印加されないと表示が消えてしまうという欠点があった。電力量計は停電時にも表示を行うことができるようバッテリバックアップ等にて表示が残るように工夫されているが、不慮の故障時には表示が消えてしまい電力量データを読み出すことができないという欠点があった。特に電力量計は電力配電線に接続されるものであるところ、落雷時には高圧電圧がかかり破壊されてしまうことがある。落雷等による不慮の故障時に電力量データが残らないのは、不便であった。従来の電力量計は、データを残存させる機能を有していないため、また落雷等による不慮の故障時の発生予測手段を有していないため、不慮の故障時に電力量データが残らないという問題点があった。
【０００４】
本発明は、落雷等の不慮の故障時にも電力量データを残存させることができる電力量測定システムおよび電力量測定装置を提供することを目的とする。
【課題を解決するための手段】
【０００５】
上記目的を達成するために、本発明による電力量測定システムは、電力需要家周辺の環境状態を測定し環境データを作成する環境測定手段と、前記環境測定手段により作成された環境データを送信する送信手段とを具備した環境測定装置と、被測定系の電力量を測定し当該電力量に関する電力量データを作成する電力量測定手段と、前記環境測定装置の送信手段により送信された環境データに基づき破損可能性を予測する破損予測手段と、前記破損予測手段にて予測された破損可能性に応じ前記電力量測定手段にて作成された電力量データを送信する伝送手段とを具備した電力量測定装置と、前記電力量測定装置から送信された電力量データを出力する出力手段を具備した出力装置とを有することを特徴とする。
【０００６】
また、上記目的を達成するために、本発明による電力量計は、電力需要家周辺の環境状態を測定し環境データを作成する環境測定手段と、被測定系の電力量を測定し当該電力量に関する電力量データを作成する電力量測定手段と、前記環境測定手段により作成された環境データに基づき破損可能性を予測する破損予測手段と、前記破損予測手段にて予測された破損可能性に応じ前記電力量測定手段にて作成された電力量データを出力する出力手段とを具備したことを特徴とする。
【発明の効果】
【０００７】
本発明によれば、落雷等の不慮の故障時にもデータを残存させることができる電力量測定システムおよび電力量測定装置を提供することができる。
【発明を実施するための最良の形態】
【０００８】
以下、本発明の実施例を説明する。
【実施例１】
【０００９】
本発明による電力量測定システムの実施例１につき図１を参照して説明する。
【００１０】
図１において、１００は伝送路でインターネット回線、電話回線、携帯電話回線、専用線、無線電波等がこれにあたる。
【００１１】
１０１は環境測定装置で、温度・湿度を測定し、後述する電力量測定装置１０２、１０３、１０４へ温度・湿度に関するデータを環境データとして伝送する。環境測定装置１０１は電力供給会社の営業所管内の電柱等、町の要所に設置される。図１において、当該システムは1例として１台の環境測定装置１０１から構成されているが、２台以上にて構成さ
れることも可能である。なお、環境測定装置１０１はインターネット上の天気予報サイトの落雷予想データ等であってもよい。
【００１２】
ここで、環境測定装置１０１の内部構成について図２を参酌して説明する。図２において、２０１は温度センサで、測温抵抗体等の温度センサにより構成されており、設置された場所の気温を測定する。
【００１３】
２０２は湿度センサで、半導体等からなる湿度センサにより構成されており、設置された場所の湿度を測定する。
【００１４】
２０３は伝送部で半導体等からなるインタフェース回路や無線通信装置により構成されており、外部のインターネット回線、電話回線、携帯電話回線、専用線、無線電波等からな
る伝送路１００に接続され、温度センサ２０１、湿度センサ２０２により測定された温度・湿度に関するデータを環境データとして後述する電力量測定装置１０２、１０３、１０４に伝送する。
【００１５】
次に、図１における１０２、１０３、１０４は電力量測定装置で、需要家にて使用される電力量を測定し電力量データを作成する。ここで電力量データとは、例えば、電力料金の異なる1から１０までの電力料金区分に対応した使用電力量に関するデータをいう。電力
量測定装置１０２、１０３、１０４は各単位時間毎の使用電力量を各電力料金区分に区分けし積算計量する。当該電力量測定装置１０２、１０３、１０４は電力を使用する各需要家に設置される。図１における当該システムは1例として３台の電力量測定装置１０２、
１０３、１０４から構成されているが、４台以上、または３台未満にて構成されることも可能である。なお、環境測定装置１０１、出力装置１０５と各電力量測定装置１０２、１０３、１０４間の伝送路はインターネット、電話回線、携帯電話回線、専用線、無線電波のいずれであっても構わない。
【００１６】
ここで、電力量測定装置１０２の内部構成について図３を参酌して説明する。なお、電力量測定装置１０３、１０４の内部も電力量測定装置１０２と同様な構成となっている。
【００１７】
図３において、３０１は電力量測定部でアナログ−デジタル変換器等により構成されており、設置された需要家の使用電流、電圧を検出し被測定系の電力量を測定する。
【００１８】
３０２は記憶部で、ＲＡＭのような半導体メモリにより構成され、電力量測定部３０１で測定された電力量をもとに作成された電力量データを記憶する。
【００１９】
３０３は伝送部で半導体等からなるインタフェース回路や無線通信装置により構成されており、外部のインターネット回線、電話回線、携帯電話回線、専用線、無線電波等からな
る伝送路１００に接続され、環境測定装置１０１からの環境データを受信し、後述する出力装置１０５に電力量データを送信する。
【００２０】
３０４は表示部で液晶表示器等により構成されており、電力量データを表示する。
【００２１】
３０５は制御部でマイクロコンピュータ等により構成されており、電力量測定部３０１により測定された電力量を電力料金区分に区分けし計量し、電力量データを作成し、記憶部３０２に記憶させるとともに伝送部３０３から出力させ、表示部３０４に表示させるように制御を行う。
【００２２】
図１における１０５は出力装置で、印字等によりデータを出力する。ここで出力装置１０５の一構成例について図４を参酌して説明する。
【００２３】
４０１は伝送部で半導体等からなるインタフェース回路や無線通信装置により構成されており、外部のインターネット回線、電話回線、携帯電話回線、専用線、無線電波等からな
る伝送路１００に接続され、電力量測定装置１０２、１０３、１０４からの電力量データを受信する。
【００２４】
４０２は印字部で、消去可能な画像形成材料のような印字用トナー等を印刷用紙に付着させる印刷ヘッド等により構成され、後述する印刷用紙４０３に印刷する。
【００２５】
４０３は印刷用紙でリング状に構成されており、後述する紙送り部４０４、４０５により送られる。印刷用紙４０３は印字部４０２にて印刷された後、後述する消去部４０６にて印刷が消去され、さらに再度印刷され何度も印刷・消去を繰り返される。
【００２６】
４０４、４０５は紙送り部で、モータ駆動によりローラを回し印刷用紙４０３を送る。
【００２７】
４０６は消去部で印字部４０２にて印刷された印刷用紙４０３の印刷を消去する。印字部４０２で使用されるトナーは消去可能な画像形成材料であり、消去部４０６は具体的にはヒーターからなり印字部４０２で印刷された画像形成材料を加熱し消去する。
【００２８】
４０７は制御部で、マイクロコンピュータ等により構成され、伝送部４０１にて受信された電力量測定装置１０２、１０３、１０４からの電力量データを印刷すべく、紙送り部４０４，４０５にて印刷用紙４０３の紙送りを制御するとともに、印字部４０２の印刷動作を制御する。
【００２９】
なお、出力装置１０５は一般的なパーソナルコンピュータ用のプリンタやメモリカード等でもかまわない。
【００３０】
次に、本実施例の動作を図５のプログラムフロー図を参照しつつ説明する。本プログラムは電力量測定装置１０２の制御部３０５内の図示しないプログラムメモリ内に記憶され、制御部３０５の動作を制御している。
【００３１】
環境測定装置１０１は電力供給会社管内の電柱等、温度ならびに湿度を測定するのに適した場所に設置され、常時、温度・湿度を測定している。
【００３２】
電力量測定装置１０２内の制御部３０５は、時計を内部に有しており例えば毎時５分前になると伝送部３０３から伝送路１００を介し、環境測定装置１０１にその時点の温度・湿度データを伝送するよう要求する。
【００３３】
電力量測定装置１０２から温度・湿度データの伝送を要求された環境測定装置１０１は温度センサ２０１により測定された温度データ、湿度センサ２０２により測定された湿度データを伝送路１００を介し、電力量測定装置１０２に返信する。上記のようにして電力量測定装置１０２は電力供給会社管内各部の温度・湿度データを収集する（ステップ５０１）。
【００３４】
次に、電力量測定装置１０２内の制御部３０５は前記温度・湿度データから温湿度パターンを換算する（ステップ５０２）。ここで温湿度パターンとは温度と湿度の関係から求められるパターンである。温度ならびに湿度が高いほど、天候が不安定であり落雷の可能性が高くなると考えられる。また、湿度が高い場合、結露により電子機器である電力量測定装置１０２を破損する可能性が高くなる。電力量測定装置１０２を破損する可能性の度合いについて温度・湿度との関連で例えばＡからＤの４段階で表わされたものを温湿度パターンとする。当該温湿度パターンは電力量測定装置１０２内の記憶部３０２に図６に示すような温湿度パターン換算表として記憶されている。制御部３０５は記憶部３０２に記憶されている温湿度パターン換算表を参照し、前記温度・湿度データから温湿度パターンを求める。例えば温度が３３℃で湿度が７５％の場合、温湿度パターンはパターンＣとなる。
【００３５】
次に、電力量測定装置１０２内の制御部３０５は前記温湿度パターンが「Ａ」であるかの判断を行う（ステップ５０３）。温湿度パターンが「Ａ」であると判断された場合、破損の可能性がきわめて高いといえ、制御部３０５は電力量データを即座に印刷等にて出力させるため出力装置１０５に出力し、以降温湿度パターン「Ａ」が継続している場合は各正時１時間ごとに電力量データを出力装置１０５に出力させる（ステップ５０４）。
【００３６】
次に、電力量測定装置１０２内の制御部３０５は前記温湿度パターンが「Ｂ」であるかの判断を行う（ステップ５０５）。温湿度パターンが「Ｂ」であると判断された場合、結露の可能性がきわめて高いといえ、制御部３０５は電力量データを即座に印刷等にて出力させるため出力装置１０５に出力し、以降温湿度パターン「Ｂ」が継続している場合は各正時３時間ごとに電力量データを出力装置１０５に出力させる（ステップ５０６）。
【００３７】
次に、電力量測定装置１０２内の制御部３０５は前記温湿度パターンが「Ｃ」であるかの判断を行う（ステップ５０７）。温湿度パターンが「Ｃ」であると判断された場合、破損の可能性があるといえ、制御部３０５は電力量データを即座に印刷等にて出力させるため出力装置１０５に出力し、以降温湿度パターン「Ｃ」が継続している場合は各正時６時間ごとに電力量データを出力装置１０５に出力させる（ステップ５０４）。
【００３８】
なお、温湿度パターンが「Ａ」「Ｂ」「Ｃ」に該当しない場合は「Ｄ」であると判断され出力装置１０５への出力動作は行われない。
【００３９】
本実施例を用いれば、気象条件により、たとえば落雷や結露により電力量測定装置７０１が破損される確率が高い場合に、事前に電力量データが出力装置１０５にて印刷等にて出力されるため、実際に電力量測定装置１０２が破損された場合でも電力量データが残存され、電力料金の取引に支障が出ず便利である。
【００４０】
以上のように、本発明によれば、落雷等の不慮の故障時にもデータが残存される電力量測定システムを提供することができる。
【実施例２】
【００４１】
本発明による電力量測定システムの実施例２につき図７を参照して説明する。実施例２が、実施例１と相違する点は、実施例１では環境測定装置１０１にて例えば温度・湿度等の環境条件を測定し、当該環境データを電力量測定装置１０２、１０３、１０４に送信し、環境により破損が予測される場合には各電力量測定装置から出力装置１０５に電力量データが送信されていたのに対し、実施例２では電力量測定装置７０１により常時電力量データが、環境測定部と出力部が一体化された出力装置７０２に送信されており、環境測定部が、環境を測定し当該環境データにより電力量測定装置の破損の可能性が高いと判断した場合に、出力部にて例えば印字等の手段により電力量データが出力されるようにした点である。
【００４２】
図７における７０１は電力量測定装置で、需要家にて使用される電力量を測定し電力量データを作成する。ここで電力量データとは、例えば、電力料金の異なる1から１０まで
の電力料金区分に対応した使用電力量に関するデータをいう。電力量測定装置７０１は各単位時間毎の使用電力量を各電力料金区分毎に積算計量している。当該電力量測定装置７０１は電力を使用する各需要家に設置される。電力量測定装置７０１は常時出力装置７０２に対し電力量データを伝送している。なお、出力装置７０２と電力量測定装置７０１間の伝送路はインターネット、電話回線、携帯電話回線、専用線、無線電波のいずれであっても構わない。
【００４３】
７０２は出力装置で環境測定部７０３と出力部７０４から構成されている。環境測定部７０３は、温度・湿度を測定し、当該温度・湿度に関するデータから電力量測定装置７０１が破損される可能性を判断する。電力量測定装置７０１が破損される可能性が高いと判断された場合、環境測定部７０３は出力部７０４に出力するようを指示する出力指示信号を送信する。出力部７０４は例えばパーソナルコンピュータ用のプリンタやメモリカード等により構成されており、環境測定部からの出力指示信号に応じ、印刷等によりデータを出力する。これらの動作により環境測定部により環境が測定され、当該環境データより電力量測定装置の破損の可能性が高いと判断された場合に、出力装置７０２に電力量測定装置７０１で測定された電力量データが出力される。
【００４４】
本実施例を用いれば、気象条件により、たとえば落雷や結露により電力量測定装置７０１が破損される確率が高い場合に、事前に電力量データが出力装置７０２にて印刷等にて出力されるため、実際に電力量測定装置７０１が破損された場合でも電力量データが残存され、電力料金の取引に支障が出ず便利である。
【００４５】
以上のように、本発明によれば、落雷等の不慮の故障時にもデータが残存される電力量測定システムを提供することができる。
【実施例３】
【００４６】
本発明による電力量測定システムの実施例３につき図８を参照して説明する。実施例３が、実施例１と相違する点は、実施例１では環境測定装置１０１にて例えば温度・湿度等の環境条件を測定し、当該環境データを電力量測定装置１０２、１０３、１０４に送信し、環境により破損が予測される場合には、各電力量測定装置から出力装置に電力量データが送信されていたのに対し、実施例３では環境測定装置８０１にて例えば温度・湿度等の環境条件を測定し、当該環境データを電力量測定装置８０２に送信し、環境により破損が予測される場合には、電力量測定装置に内臓された出力部８０４にて例えば印字等の手段により電力量データが出力されるようにした点である。
【００４７】
図８における８０１は環境測定装置で、温度・湿度を測定し、後述する電力量測定装置８０２へ温度・湿度に関するデータを環境データとして伝送する。環境測定装置８０１は電力供給会社の営業所管内の電柱等、町の要所に設置される。図８において、当該システムは1例として１台の電力量測定装置８０２から構成されているが、２台以上にて構成され
ることも可能である。なお、環境測定装置８０１はインターネット上の天気予報サイトの落雷予想データ等であってもよい。
【００４８】
８０２は電力量測定装置で電力量測定部８０３と出力部８０４から構成されている。電力量測定部８０３は、需要家にて使用される電力量を測定し電力量データを作成する。ここで電力量データとは、例えば、電力料金の異なる1から１０までの電力料金区分に対応
した使用電力量に関するデータをいう。電力量測定部８０３は各単位時間毎の使用電力量を各電力料金区分毎に積算計量している。また、電力測定部８０３は、環境測定装置８０１から送信される温度・湿度に関するデータから電力量測定装置８０２が破損される可能性を判断する。電力量測定装置８０２が破損される可能性が高いと判断された場合、電力量測定部８０３は出力部８０４に電力量データを送信する。出力部８０４は例えばパーソナルコンピュータ用のプリンタやメモリカード等により構成されており、電力量測定部８０３から送信された電力量データを、印刷等により出力する。これらの動作により環境測定装置８０１により、環境が測定され当該環境データより電力量測定装置の破損の可能性が高いと判断された場合に、電力量測定部８０３で測定された電力量データが印刷等にて出力される。なお、環境測定装置８０１と電力量測定装置８０２間の伝送路はインターネット、電話回線、携帯電話回線、専用線、無線電波のいずれであっても構わない。
【００４９】
本実施例を用いれば、気象条件により、たとえば落雷や結露により電力量測定装置８０２が破損される確率が高い場合に、事前に電力量データが出力部８０４にて印刷等にて出力されるため、実際に電力量測定装置８０２が破損された場合でも電力量データが残存され、電力料金の取引に支障が出ず便利である。
【００５０】
以上のように、本発明によれば、落雷等の不慮の故障時にもデータが残存される電力量測定システムを提供することができる。
【実施例４】
【００５１】
本発明による電力量測定装置の実施例４につき図９を参照して説明する。実施例４が、実施例１と相違する点は、実施例１では環境測定装置１０１にて例えば温度・湿度等の環境条件を測定し、当該環境データを電力量測定装置１０２、１０３、１０４に送信し、環境により破損が予測される場合には各電力量測定装置から出力装置に電力量データが送信されていたのに対し、実施例４では電力量測定装置９００内の環境測定部９０１にて温度・湿度等の環境条件を測定し、当該環境データにより電力量測定装置９００の破損が予測される場合には電力量測定装置９００内の出力部９０７に電力量データが印字等にて出力される点である。
【００５２】
図９において９００は電力量測定装置本体である。
【００５３】
９０１は環境測定部で、温度・湿度を測定し、後述する制御部９０８へ温度・湿度に関するデータを環境データとして伝送する。環境測定部９０１は、設置された場所の気温を測定する温度センサ９０２、設置された場所の湿度を測定する湿度センサ９０３から構成されている。
【００５４】
９０４は電力量測定部で、アナログ−デジタル変換器等により構成されており、設置された需要家の使用電流、電圧を検出し被測定系の電力量を測定する。
【００５５】
９０５は記憶部で、ＲＡＭのような半導体メモリにより構成され、温湿度パターン換算表を記憶する。
【００５６】
９０６は表示部で、液晶表示器等により構成されており、電力料金区分毎の電力量である電力量データを表示する。
【００５７】
９０７は出力部で、例えばパーソナルコンピュータ用のプリンタやメモリカード等により構成されており、印刷等により電力量データを出力する。
【００５８】
９０８は制御部でマイクロコンピュータ等により構成されており、電力量測定部９０４により測定された電力量を電力料金区分に区分けし計量し、電力量データを作成し表示部９０６に表示させるとともに印字部９０７に印刷させるように制御を行う。
【００５９】
次に、本実施例の動作を説明する。
【００６０】
制御部９０８は、電力量測定部９０４により測定された電力量をもとに電力量データを作成する。ここで電力量データとは、例えば、電力料金の異なる1から１０までの電力料金
区分に対応した使用電力量に関するデータをいう。制御部９０８は各単位時間毎の使用電力量を各電力料金区分毎に積算計量している。制御部９０８は常時電力量データを表示部９０６に表示させている。
【００６１】
環境測定部９０１は、常時、温度・湿度を測定している。制御部９０８は、時計を内部に有しており例えば毎時５分前になると環境測定部９０１からその時点の温度・湿度データを取得する。
【００６２】
次に、制御部９０８は前記温度・湿度データをもとに記憶部９０５に記憶されている図６と同様の温湿度パターン換算表を参照し、温湿度パターンを求める。ここで温湿度パターンとは温度と湿度の関係から求められるパターンである。温度ならびに湿度が高いほど、天候が不安定であり落雷の可能性が高くなると考えられる。また、湿度が高い場合、結露により電子機器である電力量測定装置９００を破損する可能性が高くなる。電力量測定装置９００を破損する可能性の度合いについて温度・湿度との関連で例えばＡからＤの４段階で表わされたものを温湿度パターンとする。当該温湿度パターンは電力量測定装置９００内の記憶部９０５に図６に示すような温湿度パターン換算表として記憶されている。
【００６３】
制御部９０８は前記温度・湿度データをもとに記憶部９０５に記憶されている温湿度パターン換算表を参照し、温湿度パターンを求める。例えば温度が３３℃で湿度が７５％の場合、温湿度パターンはパターンＣとなる。
【００６４】
制御部９０８は、当該温湿度パターンから電力量測定装置９００が破損される可能性を判断する。電力量測定装置９００が破損される可能性が高いと判断された場合、制御部９００は出力部９０７に電力量データを印刷等にて出力させる。
【００６５】
具体的には温湿度パターンが「Ａ」であると判断された場合、破損の可能性がきわめて高いと判断され、制御部９０８は電力量データを即座に出力部９０７に出力させ、以降温湿度パターン「Ａ」が継続している場合は各正時１時間ごとに出力部９０７に出力させる。
【００６６】
また、温湿度パターンが「Ｂ」であると判断された場合、結露の可能性がきわめて高いと判断され、制御部９０８は電力量データを即座に出力部９０７に出力させ、以降温湿度パターン「Ｂ」が継続している場合は各正時３時間ごとに出力部９０７に出力させる。
【００６７】
また、温湿度パターンが「Ｃ」であると判断された場合、破損の可能性があると判断され、制御部９０８は電力量データを即座に出力部９０７に出力させ、以降温湿度パターン「Ｃ」が継続している場合は各正時６時間ごとに出力部９０７に出力させる。
【００６８】
なお、温湿度パターンが「Ａ」「Ｂ」「Ｃ」に該当しない場合は「Ｄ」であると判断され出力部９０７での出力動作は行われない。
【００６９】
本実施例を用いれば、気象条件により、たとえば落雷や結露により電力量測定装置９００が破損される確率が高い場合に、事前に電力量データが出力部９０７にて印刷等にて出力されるため、実際に電力量測定装置９００が破損された場合でも電力量データが残存されるので、電力料金の取引に支障が出ず便利である。
【００７０】
以上のように、本発明によれば、落雷等の不慮の故障時にもデータが残存される電力量測定装置を提供することができる。
【図面の簡単な説明】
【００７１】
【図１】本発明の実施例１にかかる電力量測定システムの構成を示すシステム構成図
【図２】本発明の実施例１にかかる環境測定装置の構成を示す内部構成図
【図３】本発明の実施例１にかかる電力量測定装置の構成を示す内部構成図
【図４】本発明の実施例１にかかる出力装置の構成を示す内部構成図
【図５】本発明の実施例１にかかるプログラムの構成を示すプログラムフロー図
【図６】本発明の実施例１にかかる温湿度パターンを決定する温湿度パターン換算表
【図７】本発明の実施例２にかかる電力量測定システムの構成を示すシステム構成図
【図８】本発明の実施例３にかかる電力量測定システムの構成を示すシステム構成図
【図９】本発明の実施例４にかかる電力量測定装置の構成を示す構成図
【符号の説明】
【００７２】
１００    伝送路
１０１    環境測定装置
１０２、１０３、１０４    電力量測定装置
１０５    出力装置
２０１    温度センサ
２０２    湿度センサ
２０３    伝送部
３０１    電力量測定部
３０２    記憶部
３０３    伝送部
３０４    表示部
３０５    制御部
４０１    伝送部
４０２    印字部
４０３    印刷用紙
４０４、４０５    紙送り部
４０６    消去部
４０７    制御部
７０１    電力量測定装置
７０２    出力装置
７０３    環境測定部
７０４    出力部
８０１    環境測定装置
８０２    電力量測定装置
８０３    電力量測定部
８０４    出力部
９００    電力量測定装置
９０１    環境測定部
９０２    温度センサ
９０３    湿度センサ
９０４    電力量測定部
９０５    記憶部
９０６    表示部
９０７    印字部
９０８    制御部
【図１】
2009002905.tif 000003
【図２】
2009002905.tif 000004
【図３】
2009002905.tif 000005
【図４】
2009002905.tif 000006
【図５】
2009002905.tif 000007
【図６】
2009002905.tif 000008
【図７】
2009002905.tif 000009
【図８】
2009002905.tif 000010
【図９】
2009002905.tif 000011